(57)【特許請求の範囲】
【請求項１】
柱や間柱などの縦軸材と土台、胴差、梁、桁などの横架材からなる構造軸材に張設される壁パネルであって、板状体からなるパネル主体と、このパネル主体の四方周縁部を残して該パネル主体の裏面に一体に層着された断熱材と、パネル主体の表面における両側部にパネル主体の両側端縁から一定間隔を存してパネル主体の長さ方向に固着した一定幅と一定厚みを有する胴縁材とからなり、これらの胴縁材の外側端面とパネル主体の両側端縁との間の上記間隔部に露出したパネル主体の表面両側端部を被釘着部に形成していることを特徴とする壁パネル。
【請求項２】
パネル主体の表面両側部に固着した上記胴縁材間にこれらの胴縁材と同一厚みを有する胴縁材を固着していると共に各胴縁材に長さ方向に所定間隔毎に隣接する胴縁材間の空間部に連通する通路を形成していることを特徴とする請求項１記載の壁パネル。
【請求項３】
上記通路は、胴縁材を長さ方向に所定間隔毎に分断してなる短尺胴縁材をパネル主体の表面に長さ方向に小間隔毎に固着することにより該小間隔部によって形成されたものであることを特徴とする請求項２記載の壁パネル。
【請求項４】
上記通路は、胴縁材に長さ方向に所定間隔毎に形成した切欠部からなることを特徴とする請求項２記載の壁パネル。
【請求項５】
パネル主体の表面両側部に固着した上記胴縁材に長さ方向に目盛りを付していることを特徴とする請求項１記載の壁パネル。
【請求項６】
柱や間柱などの縦軸材と土台、胴差、梁、桁などの横架材からなる構造軸材の枠状空間部にパネル主体の裏面に積層した断熱材を嵌め込んで該断熱材を設けていない裏面周縁部を構造軸材に直接、当接させた状態で該パネル主体の上下端部を上記横架材に釘着していると共に上記パネル主体の表面両側部に固着している胴縁材の外側端面とパネル主体の両側端縁との間の該パネル主体の表面両側端部を上記縦軸材に釘着してあり、さらに、上記両側胴縁材の表面間にサイディング材を固着してパネル主体の表面とサイディング材の裏面との間の隣接する胴縁材間に通気用空間部を設けていることを特徴とする壁パネルの取付構造。
【発明の詳細な説明】
【０００１】
【発明の属する技術分野】
本発明は木造住宅の壁材として用いられる壁パネルとその取付構造に関するものである。
【０００２】
【従来の技術】
従来から、木造軸組工法によって住宅の建築を行う場合、構造用面材と称されている板状体を筋かいの代わりに、または筋かいと共に用いて地震や風圧などの水平方向の力に対向する耐力壁パネルとすることが行われている。また、断熱性や施工性を向上させるために、図８に示すように、上記板状体からなるパネル主体Ａに断熱材Ｂを積層一体化してなる壁パネルが知られている。この断熱材Ｂはパネル主体Ａの四方周縁部を残して該パネル主体の裏面に一体に積層されてあり、パネル主体Ａの四方周縁部を直接、構造軸材の縦軸材と横架材とに当接させて釘着することにより構造軸材に取付けるように構成している。
【０００３】
【発明が解決しようとする課題】
しかしながら、上記のような壁パネルでは自動釘打機を使用してパネル主体Ａを構造軸材に釘着する場合、自動釘打機をガイドする定規部材などが存在しないために一直線上に一定間隔毎に釘打ちを行うことが困難であり、釘着間隔が不揃いとなって耐力壁パネルとしての機能が低下すると共に釘打ち作業が能率よく行えないという問題点があった。
【０００４】
また、この壁パネルの表面側にサイディング材と称される板材を張設することによってモルタル仕上げよりも早く外壁施工を行うことが実施されており、その際、板材と壁パネルとの間に通気層を設けて通風による輻射熱の放出や黴、白蟻などからの害を防ぐ必要があるため、壁パネルの表面側に胴縁を所定間隔毎に配設して該胴縁に板材を取付けたり、或いは、通気のための桟木や切欠を設けることが行われているが、その作業に著しい手間を要し、施工性が低下するという問題点があった。
【０００５】
本発明はこのような問題点に鑑みてなされたもので、その目的とするところは構造軸材の縦軸材と横架材とで囲まれた空間部に壁パネルを簡単且つ正確に張設し得ると共に優れた耐力を発揮する壁パネルの取付構造となるように構造軸材に強固に精度よく釘着でき、その上、通気工法等の施工性に優れた壁パネルとその取付構造を提供するにある。
【０００６】
【課題を解決するための手段】
上記目的を達成するために本発明の壁パネルは、柱や間柱などの縦軸材と土台、胴差、梁、桁などの横架材からなる構造軸材に張設される壁パネルであって、板状体からなるパネル主体と、このパネル主体の四方周縁部を残して該パネル主体の裏面に一体に層着された断熱材と、パネル主体の表面における両側部にパネル主体の両側端縁から一定間隔を存してパネル主体の長さ方向に固着した一定幅と一定厚みを有する胴縁材とからなり、これらの胴縁材の外側端面とパネル主体の両側端縁との間の上記間隔部に露出したパネル主体の表面両側端部を被釘着部に形成した構造を有している。
【０００７】
上記構成の壁パネルにおいて請求項２に係る発明は、パネル主体の表面両側部に固着した上記胴縁材間にこれらの胴縁材と同一厚みを有する胴縁材を固着していると共に各胴縁材に長さ方向に所定間隔毎に隣接する胴縁材間の空間部に連通する通路を形成していることを特徴とするものである。
【０００８】
上記通路としては、請求項３に記載したように、胴縁材を長さ方向に所定間隔毎に分断してなる短尺胴縁材をパネル主体の表面に長さ方向に小間隔毎に固着することにより該小間隔部によって形成されたものであってもよく、請求項４に記載したように、胴縁材に長さ方向に所定間隔毎に形成した切欠部からなるものであってもよい。さらに、請求項５に記載したように、上記パネル主体の表面両側部に固着した上記胴縁材に長さ方向に目盛りを付しておくことが望ましい。
【０００９】
また、上記壁パネルの取付構造としては請求項６に記載したように、柱や間柱などの縦軸材と土台、胴差、梁、桁などの横架材からなる構造軸材の枠状空間部にパネル主体の裏面に積層した断熱材を嵌め込んで該断熱材を設けていない裏面周縁部を構造軸材に直接、当接させた状態で該パネル主体の上下端部を上記横架材に釘着していると共に上記パネル主体の表面両側部に固着している胴縁材の外側端面とパネル主体の両側端縁との間の該パネル主体の表面両側端部を上記縦軸材に釘着してあり、さらに、上記両側胴縁材の表面間にサイディング材を固着してパネル主体の表面とサイディング材の裏面との間の隣接する胴縁材間に通気用空間部を設けてなる構造を有している。
【００１０】
【作用】
パネル主体の裏面に層着している断熱材を縦軸材と横架材とで形成された構造軸材の枠状空間部内に嵌め込むと、パネル主体の裏面の四方周縁部が構造軸材の表面に当接する。この状態にしてパネル主体の表面側から自動釘打機を用いて該パネル主体の上下端部及び両側端部を構造軸材に釘着する。この際、パネル主体の両側端部を構造軸材の縦軸材に釘着する時には、パネル主体の表面両側部に固着している胴縁材の外側端面に自動釘打機のノズルを摺接させ、該外側端面をガイドとして自動釘打機を上下方向に移動させながらパネル主体の側端部における被釘着部に一直線上に一定間隔毎に釘打ちを行う。この釘打ち作業時において、上記胴縁材に長さ方向に目盛りを付しておけば、より正確な間隔毎に釘打ちが可能となる。
【００１１】
構造軸材に対する上記パネル主体の取付後、その表面にサイディング材を張設する。このサイディング材はパネル主体の表面に固着している両側と中間の胴縁材の表面にその裏面を当接させた状態でこれらの胴縁材に釘や金具を介して固着される。このサイディング材の固着によって隣接する胴縁材間の空間部がパネル主体の上下方向に連通した通気空間部に形成され、外気が該通気空間部を流通して輻射熱を放出すると共に柱や間柱などが腐朽するのを防止することができる。
【００１２】
さらに、胴縁材には隣接する胴縁材間の通気空間部に連通する通路が設けられているので、パネル主体に窓用等の開口部が設けられている場合でも、その開口部の周枠材における上下水平枠材に通気空間部が遮断されることなく、これらの水平枠材に流突する空気の流れを該水平枠材に沿って隣接する通気空間部に流通させることができる。
【００１３】
【発明の実施の形態】
次に、本発明の具体的な実施例を図面について説明すると、図１及び図２において、１は面材耐力壁として適した一定厚みを有する縦長方形状の板状体からなるパネル主体で、その表面における両側部と中央部とにそれぞれ製材や合板等の木質材からなる一定厚みと一定幅を有する縦長長方形状の両側胴縁材２、２と中間胴縁材３とをパネル主体１の長さ方向に接着剤或いは釘着、ビス止めによって固着されてあり、隣接する胴縁材２、３間には、表面側と上下方向に開口した縦長長方形状の空間部４が形成されている。
【００１４】
これらの胴縁材２、３は、パネル主体１の両側端縁から一定間隔、それぞれ内側に位置させて該パネル主体１の両側端に平行に且つパネル主体１の略全長に亘って固着してあり、その平坦な外側端面とパネル主体１の両側端面との間に露出したパネル主体１の両側端部を被釘着部５、５に形成している。なお、これらの両側胴縁材２、２と中間胴縁材３とは施工現場でパネル主体１に取付けてもよいが、予め、工場で取付けておく方が施工性の点からも望ましい。また、中間胴縁材３はパネル主体１の中央部のみに設けることなく、上記両側胴縁材２、２間に数本、パネル主体１の幅方向に一定間隔毎に並設、固定しておいてもよい。
【００１５】
上記パネル主体１は構造用合板、パーティクルボード、オリエンテッドストランドボード（ＯＳＢ）、ハードボード、硬質木片セメント板、石膏ボード、シージングボード、火山性ガラス質積層板、ラスシート等の方形状の板状体からなり、その他、建築基準法第38条において面材耐力壁として認められている材料を採用することができる。一方、胴縁材２、３は幅が30〜50mmで厚みが10〜30mm、長さは上記パネル主体１の長さと同等か、僅かに短く形成されていると共に、両側胴縁材２、２とパネル主体１の両側端面間で形成された上記被釘着部５、５の幅は自動釘打機によって釘着可能な幅、実施例では略22mmであるが、自動釘打機幅により10mmから30mmの間で任意に選択されて形成されている。また、両側胴縁材２、２の外側端面は自動釘打機のノズルＮ（図４に示す）を摺接させる全長に亘って平坦なガイド側面６に形成している。
【００１６】
７はパネル主体１の裏面側に固着した断熱材で、パネル主体１よりも一回り小さい一定厚みを有する縦長長方形状に形成されていてその四方外周端面をパネル主体１の四方外周端縁から一定の幅寸法だけ内方に位置した状態でパネル主体１に一体的に層着してあり、従って、パネル主体１の裏面における上下縁部1a、1bと両側縁部1c、1cは断熱材７の上下端面と両側端面からそれぞれ露出している。
【００１７】
この断熱材７はグラスウール、インシュレーションボード、ポリスチレンフォーム、ロックウール、ウレタンフォームなどの断熱材からなり、その厚みは図４に示す建物の構造軸材である縦軸材21及び横架材22の太さ（厚み）と同等または薄い一定の厚みに形成されていると共に横幅は縦軸材21である隣接する間柱や柱と間柱との対向面間、或いは隣接する間柱と間柱との対向面間の幅に略等しく形成され、その上、縦幅は横架材22である土台と胴差の対向面間、或いは胴差と桁、床梁等の他の横架材との対向間の寸法に略等しく形成されている。即ち、左右縦軸材21、21と上下横架材22、22とで囲まれた矩形枠状の空間部と略同一大きさ、同一形状に形成されている。なお、断熱材７を空間部よりも大きく形成しておき、施工時に該空間部に嵌合可能な大きさとなるように切断してもよい。
【００１８】
さらに、パネル主体１の裏面中央部には図２に示すように、断熱材７を左右に２分割するようにして桟材８を断熱材２の全長に亘って固着している。この桟材８の太さ（厚み）は同図に示すように断熱材７の厚みに略等しいか、僅かに薄く形成されている。なお、桟材８は２本以上、設けておいてもよく、又、この桟材８に直交する横桟を設けておいてもよい。
【００１９】
このように構成した壁パネルは縦軸材21と横架材22とで囲まれた矩形枠状の空間部にその裏面側の断熱材７を嵌め込み、該断熱材７から外方に突出しているパネル主体１の裏面の上下縁部1a、1bと両側縁部1c、1cを縦軸材21、21と横架材22、22との表面に当接させた状態にして釘９を打ち込むことにより固着される（図３参照）。この釘打ち９は、自動釘打機を用いて行われ、パネル主体１の上下端部においてはその横幅の寸法が短かいので、目安により略水平線上に一定間隔毎に該パネル主体の表面側から上下端部が当接している上下横架材22、22に釘打ちを行うことができる。
【００２０】
一方、パネル主体１の両側端部の長さが長いので、目安によって釘打ち作業を行うとその釘打ち間隔が不揃いとなったり、左右方向にずれた状態で釘打ちされる場合が生じる。そのため、上記のように両側胴縁材２、２をパネル主体１の両側端縁からそれぞれ一定間隔、内側の位置に固着させてあり、これらの胴縁材２の外側のパネル主体１の両側端部を被釘着部５、５に形成しているものである。そして、上記自動釘打機のノズルＮを図４に示すように、胴縁材２の外側端面で形成しているガイド側面６に当てがい、該ガイド側面６に摺接させた状態で胴縁材２の長さ方向に自動釘打機を移動させながら一定長さ間隔毎に被釘着部５を縦軸材21に釘着するものである。
【００２１】
このように胴縁材２のガイド側面６をガイドとして自動釘打機で釘打ち作業を行うと、胴縁材２と平行方向に一直線上に順次釘打ちすることができる。また、釘打ち間隔は目安によって略一定間隔毎に設けることができるが、図１に示すように、両側胴縁材２、２の外端縁部に長さ方向に目盛り10を付しておけば、パネル主体１の両端釘着部４、４に一層正確且つ能率よく一定の長さ間隔毎に釘打ち９が可能となる。
【００２２】
こうして、建物の構造軸材に壁パネルを固着後、図３に示すように、該壁パネルの表面側に横長長方形状のサイディング材（外壁板）11を、その上下対向端面を互いに接合させながら順次横張り施工して外装壁を構成するものである。このサイディング材11の施工は、サイディング材11をパネル主体１の表面に取付けている胴縁材２、３上に架設状態に張設し、サイディング材11の表面から胴縁材２、３に釘打ち又はビス止め又は金具を介して固着するものである。
【００２３】
このように、壁パネルの表面にサイディング材11を固着すると、パネル主体１の隣接する胴縁材２、３間の空間部４の表面側がサイディング材11により閉止されて該空間部４がパネル主体１の上下方向に貫通した通気空間部4'に形成され、外気が該通気空間部4'を流通して壁構造からの輻射熱を放出すると共に柱21や間柱などが腐朽するのを防止することができる。なお、隣接するパネル主体１、１の互いに突き合わせ状態で接合した被釘着部５、５間の表面には図３に示すように防水用目地テープ15を貼着してパネル主体１、１間の対向側端面間の隙間から内部に雨水等が浸入するのを防止している。
【００２４】
図５、図６は本発明壁パネルの別な実施例を示すもので、パネル主体１の表面に固着している上記両側胴縁材２、２と中間胴縁材３とに隣接する胴縁材２、３間の上記空間部４に連通する通路12を長さ方向に所定毎に形成してなるものである。その他の構造は上記壁パネルと同様である。この通路12はパネル主体１に窓などの開口部13を設ける場合に、該開口部13の表面側周縁に固着した矩形枠14の回りに位置する胴縁材２、３部分に設けられる。即ち、矩形枠14の上下枠部14a 、14b に突き当たる胴縁材２、３と、矩形枠14の左右枠部14c 、14c に沿う胴縁材２、３とに設けられる。
【００２５】
このように胴縁材２、３に通路12を設けておくと、このパネル主体１の表面にサイディング材11を張設して該サイディング材11を胴縁材２、３に固着することにより隣接する胴縁材２、３間の空間部４の表面側開口端を閉止して該空間部４を通気空間部4'とした場合、この通気空間部4'内を流通する空気の流れが矩形枠14に遮断されることなく、上記通路12を通じて矩形枠14に沿って隣接する通気空間部4'側へと流動し、パネル主体１の長さ方向に空気を円滑に流通させることができるものである。
【００２６】
上記通路12を設ける形態としては、図５においては胴縁材２、３を長さ方向に所定間隔毎に分断してなる短尺胴縁材2'、3'をパネル主体１の表面に長さ方向に小間隔毎にそれぞれ固着することにより、その小間隔部によって形成しているものであるが、図７に示すように胴縁材２、３に長さ方向に所定間隔毎にＶ字状の切欠を設けることによりこの切欠部で通路12を形成してもよい。
【００２７】
【発明の効果】
以上のように本発明の壁パネルによれば、板状体からなるパネル主体と、このパネル主体の四方周縁部を残して該パネル主体の裏面に一体に層着された断熱材と、パネル主体の表面における両側部にパネル主体の両側端縁から一定間隔を存してパネル主体の長さ方向に固着した一定幅と一定厚みを有する胴縁材とからなり、これらの胴縁材の外側端面とパネル主体の両側端縁との間の上記間隔部に露出したパネル主体の表面両側端部を被釘着部に形成しているものであるから、胴縁材によってパネル主体の縁辺を補強して運搬や施工時等の取扱時にパネル主体の四隅の角部に欠けや亀裂が発生するのを防止することができるのは勿論、この壁パネルの表面にサイディング材を張設する際に、胴縁材を施工する手間がなくなり、作業が能率よく行えるものである。
【００２８】
さらに、パネル主体の裏面に層着している断熱材を構造軸材の枠状空間部内に嵌め込むことによってパネル主体の四方周縁部を簡単且つ正確に構造軸材の表面に当接させることができるばかりでなく、パネル主体の表面両側部に該パネル主体の両側端縁から一定間隔を存して胴縁材をパネル主体の長さ方向に固着していると共にこの胴縁材とパネル主体の両側端縁との間のパネル主体の両側端部を被釘着部に形成しているので、胴縁材を釘打機のガイド部材として使用して該胴縁材に釘打機を摺接させながら上記被釘着部に長さ方向に一定間隔毎に正確且つ能率よく釘打ち作業が行え、耐力壁パネルとしての機能を備えた壁構造を施工することができるものであり、この釘打ち作業時において、胴縁材に長さ方向に目盛りを付しておけば、より正確の釘打ちが可能となるものである。
【００２９】
また、本発明の壁パネルの取付構造は、上記構造軸材に取付けた壁パネルのパネル主体の表面に固着している胴縁材の表面間にサイディング材を張設、固着しているものであるから、パネル主体とサイディング材との対向面と隣接する胴縁材で囲まれた部分に胴縁材の厚みに相当する通気空間部を形成することができ、外気が該通気空間部を流通して柱や間柱などが腐朽するのを防止できる通気性に優れた木造住宅を建築し得るものである。この場合、パネル主体の表面に固着した胴縁材に、隣接する胴縁材間の通気空間部に連通する通路を設けておくことによって、パネル主体に窓用等の開口部が設けられている場合でも、その開口部の周枠材における上下水平枠材に通気空間部が遮断されることなく、これらの水平枠材に流突する空気の流れを該水平枠材に沿って隣接する通気空間部に流通させ円滑な空気の流れを形成することができるものである。
【図面の簡単な説明】
【図１】壁パネルの正面図、
【図２】壁パネルの裏面側からみた簡略斜視図、
【図３】壁パネルの取付構造を示す一部切欠斜視図、
【図４】縦軸材に壁パネルを釘着している状態の横断面図、
【図５】壁パネルの別な実施例を示す一部の縦断側面図、
【図６】この壁パネルを施工した状態の一部切欠簡略正面図、
【図７】壁パネルのさらに別な実施例を示す一部の縦断側面図。
【図８】従来例を示す一部の簡略斜視図。
【符号の説明】
１  パネル主体
２  両側胴縁材
３  中間胴縁材
４  空間部
５  被釘着部
７  断熱材
９  釘打ち部
10  目盛り
11  サイディング材
12  通路
21  縦軸材
22  横架材
【図１】
0003753485.tif 000002
【図４】
0003753485.tif 000003
【図２】
0003753485.tif 000004
【図３】
0003753485.tif 000005
【図５】
0003753485.tif 000006
【図６】
0003753485.tif 000007
【図７】
0003753485.tif 000008
【図８】
0003753485.tif 000009